(57)【要約】【課題】コスト低減および小型化を実現すること。【解決手段】実施形態に係る衛生洗浄装置は、送風ユニットと、ケーシングとを備える。送風ユニットは、空気を送る送風ファンと、送風ファンにより送られる空気が流れる通風路と、通風路を流れる空気を加熱するヒータとを有する。ケーシングは、送風ユニットを内部に収容する。送風ユニットは、開口と、ダンパ部材とをさらに備える。開口は、通風路に形成される。ダンパ部材は、開口に対して回動軸を中心に開閉自在に設けられ、開口を開閉することでヒータにより加熱された空気を通風路からケーシングの内部に向けて分岐する。ダンパ部材は、ヒータの加熱動作により発生する磁力を利用して駆動される。【選択図】図６
2019173271.tif 000002
【特許請求の範囲】
【請求項１】
空気を送る送風ファンと、前記送風ファンによって送られる空気が流れる通風路と、前記通風路を流れる空気を加熱するヒータとを有する送風ユニットと、
前記送風ユニットを内部に収容するケーシングと
を備え、
前記送風ユニットは、
前記通風路に形成される開口と、
前記開口に対して回動軸を中心に開閉自在に設けられ、前記開口を開閉することで前記ヒータによって加熱された空気を前記通風路から前記ケーシングの内部に向けて分岐するとともに、前記ヒータの加熱動作により発生する磁力を利用して駆動されるダンパ部材と
を備えること
を特徴とする衛生洗浄装置。
【請求項２】
前記ヒータは、
前記通風路において前記開口と対向する位置に配置されること
を特徴とする請求項１に記載の衛生洗浄装置。
【請求項３】
前記ヒータは、
前記開口の投影面上に配置されること
を特徴とする請求項２に記載の衛生洗浄装置。
【請求項４】
前記ダンパ部材は、
前記通風路から外向きに開くこと
を特徴とする請求項２または３に記載の衛生洗浄装置。
【請求項５】
前記ダンパ部材は、
前記回動軸が前記開口における前記通風路を流れる空気の流れ方向の下流側に位置する下流側端縁部に設けられること
を特徴とする請求項４に記載の衛生洗浄装置。
【請求項６】
空気を送る送風ファンと、前記送風ファンによって送られる空気が流れる通風路と、前記通風路を流れる空気を加熱するヒータとを有する送風ユニットと、
前記送風ユニットを内部に収容するケーシングと
を備え、
前記送風ユニットは、
前記通風路に形成される開口と、
前記開口に対して回動軸を中心に開閉自在に設けられ、前記開口を開閉することで前記ヒータによって加熱された空気を前記通風路から前記ケーシングの内部に向けて分岐するとともに、前記ヒータの加熱動作による熱膨張を利用して駆動されるダンパ部材と
を備えること
を特徴とする衛生洗浄装置。
【請求項７】
前記ダンパ部材は、
前記通風路から外向きに開くこと
を特徴とする請求項６に記載の衛生洗浄装置。
【請求項８】
前記ダンパ部材は、
前記回動軸が前記開口における前記通風路を流れる空気の流れ方向の上流側に位置する上流側端縁部に設けられること
を特徴とする請求項７に記載の衛生洗浄装置。
【請求項９】
前記通風路は、
流れる空気を前記開口に向けるリブを備えること
を特徴とする請求項８に記載の衛生洗浄装置。
【発明の詳細な説明】
【技術分野】
【０００１】
開示の実施形態は、衛生洗浄装置に関する。
【背景技術】
【０００２】
従来、衛生洗浄装置には、ケーシング内部の結露を抑制するために、ケーシングの内部に空気が流れるものがある。かかる衛生洗浄装置には、たとえば、送風ユニットにおいて空気が流れる通風路に空気の排出口とは別の開口を形成し、アクチュエータによって駆動されるダンパ部材で開口を開閉することで、ケーシングの内部に空気が流れるように出口を切り替えるものがある（たとえば、特許文献１参照）。
【先行技術文献】
【特許文献】
【０００３】
【特許文献１】特開２００３−２７８２３８号公報
【発明の概要】
【発明が解決しようとする課題】
【０００４】
しかしながら、上記したような従来の衛生洗浄装置では、ダンパ部材を駆動するためのアクチュエータが必要なうえ、アクチュエータを設けるためのスペースも必要なことから、コスト低減および小型化が困難であった。なお、送風ファンによって送られる空気の力だけでダンパ部材を駆動することも考えられるが、たとえば、送風ファンによって送られる空気の力がもともと弱い場合にはダンパ部材が適切に駆動されないおそれがある。
【０００５】
実施形態の一態様は、コスト低減および小型化を実現することができる衛生洗浄装置を提供することを目的とする。
【課題を解決するための手段】
【０００６】
実施形態の一態様に係る衛生洗浄装置は、空気を送る送風ファンと、前記送風ファンによって送られる空気が流れる通風路と、前記通風路を流れる空気を加熱するヒータとを有する送風ユニットと、前記送風ユニットを内部に収容するケーシングとを備え、前記送風ユニットは、前記通風路に形成される開口と、前記開口に対して回動軸を中心に開閉自在に設けられ、前記開口を開閉することで前記ヒータによって加熱された空気を前記通風路から前記ケーシングの内部に向けて分岐するとともに、前記ヒータの加熱動作により発生する磁力を利用して駆動されるダンパ部材とを備えることを特徴とする。
【０００７】
かかる構成によれば、ヒータによって加熱された空気（すなわち、温風）を、通風路の開口およびダンパ部材によって通風路からケーシングの内部に向けて、送風ユニット自体の風量低下を抑えつつ確実に分岐することができる。これにより、通風路から分岐された温風を用いてケーシングの内部の結露を防止することができる。
【０００８】
また、通風路を流れる空気を分岐するためのダンパ部材を駆動するアクチュエータが不要となり、アクチュエータが占有するスペースも不要となるため、部品点数の削減および省スペース化が可能となり、コスト低減および小型化を実現することができる。たとえば、ダンパ部材は、ヒータの加熱動作により発生する磁力で閉じる向きに駆動される。また、ダンパ部材は、磁力でヒータ側に引き付けられることで開口を閉じた状態を維持することができる。
【０００９】
また、上記した衛生洗浄装置では、前記ヒータは、前記通風路において前記開口と対向する位置に配置されることを特徴とする。
【００１０】
かかる構成によれば、ヒータの加熱動作により発生する磁力を、開口を開閉するダンパ部材に向けて確実に作用させることができる。
【００１１】
また、上記した衛生洗浄装置では、前記ヒータは、前記開口の投影面上に配置されることを特徴とする。
【００１２】
かかる構成によれば、ヒータの加熱動作により発生する磁力を、開口を開閉するダンパ部材に向けてさらに確実に作用させることができる。
【００１３】
また、上記した衛生洗浄装置では、前記ダンパ部材は、前記通風路から外向きに開くことを特徴とする。
【００１４】
かかる構成によれば、ダンパ部材が通風路の空気の流れを妨げるのを防止することができ、送風ユニット自体の風量低下を抑えることができる。また、ダンパ部材が閉じる場合には閉じる向きに重力が作用するため、たとえば、磁力が弱い場合にダンパ部材を補助することができる。
【００１５】
また、上記した衛生洗浄装置では、前記ダンパ部材は、前記回動軸が前記開口における前記通風路を流れる空気の流れ方向の下流側に位置する下流側端縁部に設けられることを特徴とする。
【００１６】
かかる構成によれば、ダンパ部材が開きやすくなり、ダンパ部材を開く向きに確実に駆動することができる。
【００１７】
また、上記した衛生洗浄装置では、空気を送る送風ファンと、前記送風ファンによって送られる空気が流れる通風路と、前記通風路を流れる空気を加熱するヒータとを有する送風ユニットと、前記送風ユニットを内部に収容するケーシングとを備え、前記送風ユニットは、前記通風路に形成される開口と、前記開口に対して回動軸を中心に開閉自在に設けられ、前記開口を開閉することで前記ヒータによって加熱された空気を前記通風路から前記ケーシングの内部に向けて分岐するとともに、前記ヒータの加熱動作による熱膨張を利用して駆動されるダンパ部材とを備えることを特徴とする。
【００１８】
かかる構成によれば、ヒータによって加熱された空気（すなわち、温風）を、通風路の開口およびダンパ部材によって通風路からケーシングの内部に向けて、送風ユニット自体の風量低下を抑えつつ確実に分岐することができる。これにより、通風路から分岐された温風を用いてケーシングの内部の結露を防止することができる。
【００１９】
また、通風路を流れる空気を分岐するためのダンパ部材を駆動するアクチュエータが不要となり、アクチュエータが占有するスペースも不要となるため、部品点数の削減および省スペース化が可能となり、コスト低減および小型化を実現することができる。たとえば、ダンパ部材は、付勢部材の付勢力で閉じる向きに付勢されており、通風路を流れる空気の力で付勢力に抗して開く向きに駆動され、閉じる向きには付勢力で駆動される。また、ダンパ部材は、熱膨張することで開口を閉じた状態を維持することができる。
【００２０】
また、上記した衛生洗浄装置では、前記ダンパ部材は、前記通風路から外向きに開くことを特徴とする。
【００２１】
かかる構成によれば、ダンパ部材が通風路の空気の流れを妨げるのを防止することができ、送風ユニット自体の風量低下を抑えることができる。
【００２２】
また、上記した衛生洗浄装置では、前記ダンパ部材は、前記回動軸が前記開口における前記通風路を流れる空気の流れ方向の上流側に位置する上流側端縁部に設けられることを特徴とする。
【００２３】
かかる構成によれば、ダンパ部材が開きやすくなり、ダンパ部材を開く向きに確実に駆動することができる。
【００２４】
また、上記した衛生洗浄装置では、前記通風路は、流れる空気を前記開口に向けるリブを備えることを特徴とする。
【００２５】
かかる構成によれば、ダンパ部材を開く向きに確実に駆動することができる。
【発明の効果】
【００２６】
実施形態の一態様によれば、コスト低減および小型化を実現することができる。
【図面の簡単な説明】
【００２７】
【図１】図１は、実施形態に係る衛生洗浄装置を備えるトイレ装置およびトイレルームを示す概略斜視図である。
【図２】図２は、実施形態に係る衛生洗浄装置を示す概略斜視図である。
【図３】図３は、実施形態に係る衛生洗浄装置の要部構成を示すブロック図である。
【図４】図４は、ケースプレート上に配置された送風ユニットを示す概略斜視図である。
【図５】図５は、送風ユニットに関する制御系を示すブロック図である。
【図６】図６は、第１の実施形態に係る衛生洗浄装置における送風ユニットの構成および動作を示す概略側断面図である。
【図７】図７は、第１の実施形態に係る衛生洗浄装置における送風制御の処理手順の一例を示すフローチャートである。
【図８】図８は、第１の実施形態に係る衛生洗浄装置における送風制御時の各部動作の一例を示す説明図である。
【図９】図９は、第２の実施形態に係る衛生洗浄装置における送風ユニットの構成および動作を示す概略側断面図である。
【図１０】図１０は、第２の実施形態に係る衛生洗浄装置における送風制御の処理手順の一例を示すフローチャートである。
【図１１】図１１は、第２の実施形態に係る衛生洗浄装置における送風制御時の各部動作の一例を示す説明図である。
【発明を実施するための形態】
【００２８】
以下、添付図面を参照して、本願の開示する衛生洗浄装置の実施形態を詳細に説明する。なお、以下に示す実施形態によりこの発明が限定されるものではない。
【００２９】
＜１．トイレ装置＞
まず、図１を参照して実施形態に係る衛生洗浄装置１０を備えるトイレ装置１について説明する。図１は、実施形態に係る衛生洗浄装置１０を備えるトイレ装置１およびトイレルーム１００を示す概略斜視図である。図１には、説明の便宜上、３次元の直交座標系を図示し、かかる直交座標系において、「前方」、「後方」、「左側方」、「右側方」、「上方」および「下方」を規定している。なお、座標系は、他の図においても図示している場合がある。
【００３０】
図１に示すように、トイレ装置１は、トイレルーム１００内に設置される。トイレ装置１は、洋式便器（以下、便器という）２と、衛生洗浄装置１０とを備える。便器２は、たとえば、陶器製である。便器２には、ボウル部２ａが形成される。ボウル部２ａは、下方に凹んだ形状であり、使用者の排泄物を受ける部位である。なお、便器２は、図示のような床置き式に限らず、壁掛け式でもよい。
【００３１】
衛生洗浄装置１０は、便器２の上面後部に取り付けられ、本体部１１と、便座１２と、便蓋１３とを備える。なお、衛生洗浄装置１０は、便器２と一体化するように取り付けられてもよいし、便器２に対して着脱可能に取り付けられてもよい。また、衛生洗浄装置１０は、トイレルーム１００の壁面に設置された操作部５１の各種スイッチ５１１が使用者により操作されると、たとえば、便蓋１３を開閉したり、機能部の各種機能を作動させる。衛生洗浄装置１０のさらなる構成については、図２および図３を用いて後述する。
【００３２】
なお、トイレ装置１は、たとえば、便器２の後部に洗浄水を貯留する洗浄水タンクが設置されてもよいし、洗浄水タンクが設置されない、いわゆるタンクレス式でもよい。また、トイレ装置１は、たとえば、サイホン作用を利用してボウル部２ａ内の汚物を引き込んでトラップ管路から排出する、いわゆるサイホン式でもよいし、たとえば、ボウル部２ａ内の洗浄水の落差による流水作用で汚物を押し流す、いわゆる洗い落し式でもよい。
【００３３】
＜２．衛生洗浄装置＞
次に、図２および図３を参照して実施形態に係る衛生洗浄装置１０について説明する。図２は、実施形態に係る衛生洗浄装置１０を示す概略斜視図である。図３は、実施形態に係る衛生洗浄装置１０の要部構成を示すブロック図である。上記したように、衛生洗浄装置１０は、本体部１１と、便座１２と、便蓋１３とを備える。
【００３４】
図２に示すように、便座１２および便蓋１３は、それそれの後部が本体部１１に軸支され、本体部１１に対して上下方向に揺動可能に取り付けられる。なお、便蓋１３は、衛生洗浄装置１０に必要に応じて取り付けられ、省略可能である。本体部１１は、ケーシング１４と、ノズルユニット１５とを備える。ケーシング１４は、ケースカバー１４ａと、ケースプレート１４ｂとを備える。ケーシング１４は、ノズルユニット１５を含む水路系、および機能部を内部に収容する。
【００３５】
ノズルユニット１５は、洗浄ノズル１５ａを備える。洗浄ノズル１５ａは、図示しない電動モータなどの駆動源の駆動により、ケーシング１４に対して進退可能である。また、洗浄ノズル１５ａは、図示しない水道管などの水源に接続される。洗浄ノズル１５ａは、ケーシング１４に対して進出している場合に、水源からの水を使用者の身体へ噴出させて局部を洗浄する。
【００３６】
このように、衛生洗浄装置１０は、使用者の局部を洗浄する機能を有する。なお、衛生洗浄装置１０は、局部洗浄機能の他、たとえば、便座１２に座った使用者のおしりなどに温風を吹き付けて乾燥させる乾燥機能や、便座１２の着座面を適温に温める便座暖房機能を有してもよい。
【００３７】
また、衛生洗浄装置１０は、その要部構成として、水路系と、機能部とを備える。図３に示すように、衛生洗浄装置１０は、水路系として、ノズルユニット１５と、洗浄水供給部２０と、ノズル洗浄室２７と、噴霧ノズル２８とを備える。衛生洗浄装置１０は、機能部として、たとえば、脱臭ユニット４０とを備える。衛生洗浄装置１０は、水路系および機能部の他、人体検知センサ２９と、着座検知センサ３０と、制御部５０とをさらに備える。
【００３８】
洗浄水供給部２０は、流路開閉弁２１と、熱交換器２２と、電解槽２３と、大気解放式のバキュームブレーカ（ＶＢ）２４と、電磁ポンプ２５と、流調・流路切替弁２６とを備える。流路開閉弁２１は、開閉可能な電磁バルブであり、制御部５０からの指令に基づいて、洗浄水の供給を制御する。流路開閉弁２１は、給水源から供給される洗浄水の給水と止水とを切り替える。
【００３９】
熱交換器２２は、流路開閉弁２１の下流に設けられる。熱交換器２２は、ヒータにより、給水源から供給された洗浄水を加熱して、たとえば、規定の温度まで昇温させる。熱交換器２２は、給水源から供給された洗浄水を、設定された温度の温水に変換する。なお、熱交換器２２は、たとえば、セラミックヒータなどを用いた瞬間加熱式の熱交換器でもよいし、貯湯タンクを用いた貯湯加熱式の熱交換器でもよい。熱交換器２２は、使用者が操作部５１を操作することにより、温水温度が設定される。
【００４０】
電解槽２３は、熱交換器２２の下流に設けられる。電解槽２３は、一対の電極を有し、制御部５０から出力された通電の制御信号に基づいて、電極間に流れる洗浄水（水道水）を電気分解する。電解槽２３は、洗浄水に含まれる塩素イオンを電気分解することにより、次亜塩素酸（ＨＣｌＯ）を含む水（以下、機能水という）を生成する。電解槽２３を通過した洗浄水および電解槽２３において生成された機能水は、電磁ポンプ２５を介して、ノズルユニット１５の洗浄ノズル１５ａに送られる。電磁ポンプ２５は、たとえば、洗浄ノズル１５ａに供給される洗浄水に脈動を与える。
【００４１】
洗浄ノズル１５ａは、噴水部１６を備える。噴水部１６は、たとえば、おしり洗浄噴水孔１６ａ、おしりソフト噴水孔１６ｂおよびビデ洗浄噴水孔１６ｃを備える。また、洗浄ノズル１５ａは、複数の流路ＦＣを備える。洗浄ノズル１５ａは、各流路ＦＣのそれぞれから供給された洗浄水を吐水可能である。
【００４２】
流調・流路切替弁２６は、電磁ポンプ２５と洗浄ノズル１５ａとの間に設けられ、電磁ポンプ２５を介して供給された洗浄水または機能水の行き先を、たとえば、洗浄ノズル１５ａにおける、「おしり洗浄」、「おしりソフト」、「ビデ洗浄」および「ワイドビデ洗浄」に向けた各流路ＦＣ、ノズル洗浄室２７、噴霧ノズル２８および脱臭ユニット４０のいずれかに切り替える。
【００４３】
ノズル洗浄室２７は、洗浄吐水部２７ａを備える。ノズル洗浄室２７は、洗浄吐水部２７ａから洗浄水または機能水を吐水する。ノズル洗浄室２７は、洗浄ノズル１５ａの外周面の洗浄、いわゆる胴体洗浄を行う。噴霧ノズル２８は、便器２のボウル部２ａ（図１参照）の表面に洗浄水または機能水を噴霧する。
【００４４】
人体検知センサ２９は、たとえば、赤外線信号を用いた焦電センサであり、トイレ装置１（図１参照）が設置されたトイレルーム１００（図１参照）内に入室した使用者などの入室者を検知する。人体検知センサ２９は、検知信号を制御部５０へ出力する。着座検知センサ３０は、たとえば、赤外線投受光式の測距センサであり、使用者が便座１２（図１参照）に着座する直前において便座１２の上方に存在する人体や、便座１２に着座した使用者を検知する。着座検知センサ３０は、着座検知信号を制御部５０へ出力する。
【００４５】
ここで、衛生洗浄装置１０の機能部である脱臭ユニット４０は、トイレルーム１００内の空気を吸い込み、吸い込んだ空気に含まれる臭気を吸収または分解する。脱臭ユニット４０は、臭気を吸収または分解した空気を、ケーシング１４の外部へ吐き出す。なお、トイレルーム１００内の空気とは、主として便器２の外部の空気（ボウル部２ａ内以外の空気）をいう。
【００４６】
脱臭ユニット４０は、集塵フィルタ４１と、送風ファン４２と、脱臭フィルタ４３と、吐水部４４と、排水部４５と、吸気口４６と、排気口４７とを備える。脱臭ユニット４０においては、トイレルーム１００内の空気が脱臭フィルタ４３の内部を通過することで、空気に含まれるアンモニア（ＮＨ３）などの悪臭成分が脱臭フィルタ４３に吸収または分解される。
【００４７】
制御部５０は、水路系および機能部の動作を制御する。制御部５０は、たとえば、操作部５１から入力される操作指示に基づいて、上記した各部の動作を制御する。操作部５１は、図１に示すように、トイレルーム１００の壁面に設けられる他、衛生洗浄装置１０の本体部１１（図２参照）に設けられてもよい。操作部５１は、いわゆるリモコンでもよい。制御部５０と操作部５１との間は、有線通信でもよいし、無線通信でもよい。
【００４８】
また、制御部５０は、たとえば、人体検知センサ２９による使用者の入室の検知に基づいて、噴霧ノズル２８から便器２のボウル部２ａの表面に水滴を噴霧する。これにより、ボウル部２ａの表面に汚物が付着するのを抑えることができる。
【００４９】
また、制御部５０は、たとえば、人体検知センサ２９がトイレルーム１００内の使用者を検知しなくなってから所定時間（たとえば、９０秒程度）が経過すると、噴霧ノズル２８からボウル部２ａの表面に向けて機能水を噴霧する。これにより、悪臭のもとになる菌がボウル部２ａ内で増えることを抑制し、便器２から悪臭が放出されるのを抑えることができる。
【００５０】
衛生洗浄装置１０は、機能部として、送風ユニット（温風乾燥ユニットともいう）６０をさらに備える。送風ユニット６０は、ケーシング１４（図２参照）の外部に空気（温風）を排出する。制御部５０は、たとえば、「おしり洗浄」の後に使用者が操作部５１の温風スイッチ５１１ａ（図１参照）をＯＮ操作することで、操作部５１から指令信号が入力されて送風ユニット６０を作動させる。
【００５１】
＜３．送風ユニット＞
次に、図４および図５を参照して送風ユニット６０について説明する。図４は、ケースプレート１４ｂ上の送風ユニット６０を示す概略斜視図である。図５は、送風ユニット６０に関する制御系を示すブロック図である。送風ユニット６０は、便座１２（図１参照）に着座した使用者のおしりなどの局部に向けて温風を吹き出すことにより、洗浄で濡れた使用者の局部を乾燥させる。
【００５２】
図４に示すように、送風ユニット６０は、ケースプレート１４ｂ上に設けられる。送風ユニット６０は、ケースプレート１４ｂの上方をケースカバー１４ａが覆うケーシング１４の内部に収容され、送風ファン６１と、通風路６２と、ヒータ６３とを備える。
【００５３】
送風ファン６１は、たとえば、樹脂製のシロッコファンであり、通風路６２に空気を送り込む。なお、送風ファン６１は、シロッコファンに限定されず、ターボファンなど他の種類のファンでもよい。通風路６２は、送風ファン６１によって送られる空気が流れる。
【００５４】
通風路６２は、空気の排出口６２１を備える。通風路６２は、ケーシング１４の前方に向けて排出口６２１から空気を排出する。ヒータ６３は、通風路６２に設けられ、通風路６２を流れる空気を加熱する。また、ヒータ６３は、たとえば、ＡＣ１００Ｖ系のニクロム線ヒータであり、空気の加熱時には電流が流れる。
【００５５】
また、送風ユニット６０は、開口６４と、ダンパ部材６５とをさらに備える。開口６４は、通風路６２に形成される。ダンパ部材６５は、たとえば、板状部材であり、開口６４に対して開閉自在に設けられる。すなわち、ダンパ部材６５は、開口６４を開閉する。
【００５６】
送風ユニット６０は、ダンパ部材６５が通風路６２の上壁６２２に形成された開口６４を開閉することで、通風路６２を流れる空気をケーシング１４の内部に分岐してケーシング１４内部を換気する。これにより、ケーシング１４内部の結露を防止することができる。
【００５７】
図５に示すように、制御部５０は、操作部５１の温風スイッチ５１１ａがＯＮ操作またはＯＦＦ操作されると、操作部５１から指令信号が入力される。操作部５１から操作信号が入力されると、送風ユニット６０の送風ファン６１およびヒータ６３の少なくともいずれかに向けて指令信号を出力する。
【００５８】
＜４．第１の実施形態＞
次に、図６〜図８を参照して第１の実施形態に係る衛生洗浄装置１０について説明する。図６は、第１の実施形態に係る衛生洗浄装置１０における送風ユニット６０の構成および動作を示す概略側断面図である。なお、図６には、第１の実施形態に係る衛生洗浄装置１０の要部である送風ユニット６０の通風路６２を示し、図中の上半部にダンパ部材６５（６５Ａ）が開いた状態を示し、図中の下半部にダンパ部材６５（６５Ａ）が閉じた状態を示している。
【００５９】
送風ユニット６０は、上記したように、開口６４と、ダンパ部材６５（ダンパ部材６５Ａ）とを備える。図６に示すように、開口６４は、通風路６２の上壁６２２に形成される。ダンパ部材６５Ａは、回動軸６６を中心に揺動することで開口６４を開閉自在に設けられる。ダンパ部材６５Ａは、たとえば、金属などの磁性体である。なお、ダンパ部材６５Ａは、たとえば、全体的に樹脂製で形成され金属片などが埋め込まれたものでもよい。
【００６０】
回動軸６６は、開口６４における通風路６２の空気の流れ方向の上流側に位置する上流側端縁部６４１および下流側に位置する下流側端縁部６４２のうち、下流側端縁部６４２に設けられる。回動軸６６は、開口６４の左右方向（図４参照）に延びている。
【００６１】
ダンパ部材６５Ａは、回動軸６６によって通風路６２から外向きに開く、いわゆる外開きである。ダンパ部材６５Ａは、たとえば、板バネなどの付勢部材によって開く向きに付勢されている。
【００６２】
ヒータ６３は、送風ファン６１によって送られる空気Ａ０を加熱する。加熱された空気Ａ２は、排出口６２１（図４参照）から排出される。ヒータ６３は、通風路６２において開口６４と対向する位置に配置される。すなわち、ヒータ６３は、ダンパ部材６５Ａが閉じた状態でダンパ部材６５Ａと対向する。好ましくは、ヒータ６３は、開口６４と対向する位置のうち、開口６４の投影面上に配置される。すなわち、ヒータ６３は、ダンパ部材６５Ａが閉じた状態でダンパ部材６５Ａの投影面上に配置される。ここで、ヒータ６３は、上記したように、空気の加熱時には電流が流れる。このため、ヒータ６３は、空気の加熱時には磁界（磁力）が発生する。
【００６３】
ダンパ部材６５Ａは、上記したように、通風路６２に形成された開口６４を開閉することで、通風路６２を流れる空気Ａ１１と、ケーシング１４（図４参照）の内部に向けた空気Ａ１２とに分岐する。ダンパ部材６５Ａは、ヒータ６３の加熱動作により発生する磁力を利用して駆動される。具体的には、ダンパ部材６５Ａは、閉じる向きに駆動させるとともに閉じた状態を維持する場合には、送風ファン６１が駆動されるとともに、ヒータ６３が駆動される。
【００６４】
この場合、ヒータ６３が駆動されることで、ヒータ６３に電流が流れて磁界が発生する。これにより。ダンパ部材６５Ａは、ヒータ６３側に磁力で引き付けられ、閉じた状態を維持することができる。
【００６５】
次に、図７および図８を参照して、第１の実施形態に係る衛生洗浄装置１０における送風制御および送風制御時の各部動作について説明する。図７は、第１の実施形態に係る衛生洗浄装置１０における送風制御の処理手順の一例を示すフローチャートである。図８は、第１の実施形態に係る衛生洗浄装置１０における送風制御時の各部動作の一例を示す説明図である。
【００６６】
図７および図８に示すように、まず、使用者がトイレルーム１００（図１参照）内に入ると、人体検知センサ２９（図３参照）は、入室を検知する（ステップＳ１０１）。この場合、送風ファン６１およびヒータ６３は共に駆動を停止し、ダンパ部材６５Ａは開いた状態である。次いで、着座検知センサ３０（図３参照）は、使用者が便座１２（図１参照）に着座したことを検知する（ステップＳ１０２）。この場合も、送風ファン６１およびヒータ６３は駆動を停止し、ダンパ部材６５Ａは開いた状態である。
【００６７】
次いで、使用者により「おしり洗浄」ＯＮ操作が行われる（ステップＳ１０３）。この場合も、送風ファン６１およびヒータ６３は駆動を停止し、ダンパ部材６５Ａは開いた状態である。次いで、「おしり洗浄」が終了すると、使用者により温風スイッチ５１１ａ（図１参照）ＯＮ操作が行われる（ステップＳ１０４）。
【００６８】
温風スイッチ５１１ａがＯＮ操作されると、制御部５０は、送風ファン６１を駆動するとともにヒータ６３を駆動する（ステップＳ１０５）。これにより、送風ファン６１によって送られる空気Ａ０が通風路６２においてヒータ６３に加熱され、温風（空気Ａ２）となって排出口６２１（図４参照）から排出される。また、このとき、ダンパ部材６５Ａは、ヒータ６３の加熱動作により発生する磁力によって閉じる向きに駆動される（ステップＳ１０６）。
【００６９】
次いで、使用者により温風スイッチ５１１ａＯＦＦ操作が行われると（ステップＳ１０７）、制御部５０は、送風ファン６１およびヒータ６３の駆動を停止する（ステップＳ１０８）。これにより、ダンパ部材６５Ａは、磁力による引き付けが解除され、付勢部材などの付勢力によって開く向きに駆動される（ステップＳ１０９）。
【００７０】
次いで、制御部５０は、着座検知センサ３０からの検知信号に基づいて使用者が便座１２から離座したか否かを判定する（ステップＳ１１０）。使用者が便座１２から離座したことを検知すると（ステップＳ１１０：Ｙｅｓ）、送風ファン６１を駆動する（ステップＳ１１１）。この場合、通風路６２を流れる空気Ａ１１，Ａ１２が開口６４からケーシング１４内部に分岐してケーシング１４内部が換気される。なお、使用者が便座１２から離座したことを検知しない場合には（ステップＳ１１０：Ｎｏ）、検知するまでステップＳ１１０の処理を繰り返す。
【００７１】
そして、制御部５０は、所定時間後（たとえば、５分後）、送風ファン６１の駆動を停止する（ステップＳ１１２）。
【００７２】
以上説明した第１の実施形態に係る衛生洗浄装置１０によれば、ヒータ６３によって加熱された空気を、通風路６２の開口６４およびダンパ部材６５Ａによって通風路６２からケーシング１４の内部に向けて、送風ユニット６０自体の風量低下を抑えつつ確実に分岐することができる。これにより、通風路６２から分岐された温風を用いてケーシング１４の内部の結露を防止することができる。
【００７３】
また、通風路６２を流れる空気を分岐するためのダンパ部材６５Ａを駆動するアクチュエータが不要となり、アクチュエータが占有するスペースも不要となるため、部品点数の削減および省スペース化が可能となり、コスト低減および小型化を実現することができる。
【００７４】
また、ヒータ６３が開口６４と対向して配置されることで、ヒータ６３の加熱動作により発生する磁力を、開口６４を開閉するダンパ部材６５Ａに向けて確実に作用させることができる。また、ヒータ６３が開口６４の投影面上に配置されることで、ヒータ６３の加熱動作により発生する磁力を、開口６４を開閉するダンパ部材６５Ａに向けてさらに確実に作用させることができる。
【００７５】
また、ダンパ部材６５Ａが外向きに開くことで、ダンパ部材６５Ａが通風路６２の空気の流れを妨げるのを防止することができ、送風ユニット６０自体の風量低下を抑えることができる。また、ダンパ部材６５Ａが閉じる場合には閉じる向きに重力が作用するため、たとえば、磁力が弱い場合にダンパ部材６５Ａの開放を防止することができる。
【００７６】
また、ダンパ部材６５Ａが開口６４の下流側端縁部６４２を回動軸６６として開閉することで、ダンパ部材６５Ａが開きやすくなり、ダンパ部材６５Ａを開く向きに確実に駆動することができる。
【００７７】
＜５．第２の実施形態＞
次に、図９〜図１１を参照して第２の実施形態に係る衛生洗浄装置１０について説明する。図９は、第２の実施形態に係る衛生洗浄装置１０における送風ユニット６０の構成および動作を示す概略側断面図である。なお、図９には、第２の実施形態に係る衛生洗浄装置１０の要部である送風ユニット６０の通風路６２を示し、図中の上半部にダンパ部材６５（６５Ｂ）が開いた状態を示し、図中の下半部にダンパ部材６５（６５Ｂ）が閉じた状態を示している。
【００７８】
なお、以下で説明する第２の実施形態に係る衛生洗浄装置１０は、上記した第１の実施形態とは、ダンパ部材６５Ｂの構成、回動軸６６の位置、ヒータ６３の配置、および通風路６２にリブ６７を備える点が異なる。このため、第２の実施形態においては、第１の実施形態と異なる点を説明し、第１の実施形態と同一または同等の箇所には同一の符号を付してその説明を省略する場合がある。
【００７９】
ダンパ部材６５Ｂは、開口６４を開閉自在に設けられる。ダンパ部材６５Ｂは、たとえば、硬質の樹脂製である。なお、ダンパ部材６５Ｂは、熱膨張係数が大きな樹脂で形成されることが好ましい。また、ダンパ部材６５Ｂは、通風路６２が樹脂製である場合には少なくとも通風路６２よりも熱膨張係数が大きい樹脂である。
【００８０】
また、ダンパ部材６５Ｂは、回動軸６６によって通風路６２から外向きに開く、いわゆる外開きである。ダンパ部材６５Ｂは、たとえば、板バネなどの付勢部材によって閉じる向きに付勢されている。回動軸６６は、開口６４における通風路６２の空気の流れ方向の上流側に位置する上流側端縁部６４１に設けられる。
【００８１】
ヒータ６３は、通風路６２において開口６４よりも上流に配置される。ダンパ部材６５Ｂは、開口６４を閉じた状態でヒータ６３によって加熱されて熱膨張することで、開口６４を開口面の中心側から放射方向に押し広げるように作用して、ダンパ部材６５Ｂの各外側面が開口６４の内周面に圧接する。これにより、ダンパ部材６５Ｂは、通風路６２を流れる空気Ａ２を受けても閉じた状態を維持することができる。
【００８２】
通風路６２は、この通風路６２を流れる空気の向きを開口６４に向けるためのリブ６７を備える。リブ６７は、通風路６２の左右方向（図４参照）に延びて設けられ、空気Ａ０の流れに対向するような流れ方向を変更する面を有する。この面に送風ファンによって送られる空気Ａ０が当たることで、空気Ａ０を分岐して空気Ａ０の一部が開口６４に向かう空気Ａ１２となる。
【００８３】
次に、図１０および図１１を参照して、第２の実施形態に係る衛生洗浄装置１０における送風制御および送風制御時の各部動作について説明する。図１０は、第２の実施形態に係る衛生洗浄装置１０における送風制御の処理手順の一例を示すフローチャートである。図１１は、第１の実施形態に係る衛生洗浄装置１０における送風制御時の各部動作の一例を示す説明図である。
【００８４】
図１０および図１１に示すように、まず、使用者がトイレルーム１００（図１参照）内に入ると、人体検知センサ２９（図３参照）は、入室を検知する（ステップＳ２０１）。この場合、送風ファン６１およびヒータ６３は共に駆動を停止し、ダンパ部材６５Ｂは閉じた状態である。次いで、着座検知センサ３０（図３参照）は、使用者が便座１２（図１参照）に着座したことを検知する（ステップＳ２０２）。この場合も、送風ファン６１およびヒータ６３は駆動を停止し、ダンパ部材６５Ｂは閉じた状態である。
【００８５】
次いで、使用者により「おしり洗浄」ＯＮ操作が行われる（ステップＳ２０３）。この場合も、送風ファン６１およびヒータ６３は駆動を停止し、ダンパ部材６５Ｂは閉じた状態である。次いで、「おしり洗浄」が終了すると、使用者により温風スイッチ５１１ａ（図１参照）ＯＮ操作が行われる（ステップＳ２０４）。
【００８６】
温風スイッチ５１１ａがＯＮ操作されると、制御部５０は、ヒータ６３を駆動する（ステップＳ２０５）。ここで、制御部５０は、ダンパ部材６５Ｂが閉じた状態でヒータ６３に加熱され熱膨張しているか否かを判定する（ステップＳ２０６）。ダンパ部材６５Ｂが熱膨張している場合（ステップＳ２０６：Ｙｅｓ）、ダンパ部材６５Ｂは、開口６４を閉じた状態で維持される。なお、ダンパ部材６５Ｂが熱膨張していない場合は、ダンパ部材６５Ｂの熱膨張を検知するまでステップＳ２０６の処理を繰り返す。
【００８７】
次いで、制御部５０は、送風ファン６１を駆動する（ステップＳ２０７）。これにより、ヒータ６３によって加熱された空気（温風）Ａ２を排出口６２１（図４参照）から排出することができる。
【００８８】
次いで、使用者により温風スイッチ５１１ａＯＦＦ操作が行われると（ステップＳ２０８）、制御部５０は、送風ファン６１およびヒータ６３の駆動を停止する（ステップＳ２０９）。
【００８９】
次いで、制御部５０は、着座検知センサ３０からの検知信号に基づいて使用者が便座１２から離座したか否かを判定する（ステップＳ２１０）。使用者が便座１２から離座したことを検知すると（ステップＳ２１０：Ｙｅｓ）、送風ファン６１を駆動する（ステップＳ２１１）。この場合、通風路６２を流れる空気Ａ１１，Ａ１２が開口６４からケーシング１４内部に分岐してケーシング１４内部が換気される。なお、使用者が便座１２から離座したことを検知しない場合には（ステップＳ２１０：Ｎｏ）、検知するまでステップＳ２１０の処理を繰り返す。
【００９０】
次いで、ダンパ部材６５Ｂが冷却され、ダンパ部材６５Ｂが元の寸法に戻ることで、開口６４に対する圧接が解除され、通風路６２を流れる空気の力で付勢部材などの付勢力に抗して押し上げられ、開く向きに駆動される（ステップＳ２１２）。
【００９１】
そして、制御部５０は、所定時間後（たとえば、５分後）、送風ファン６１の駆動を停止し（ステップＳ２１３）、ダンパ部材６５Ｂは、付勢部材などの付勢力で閉じる向きに駆動される（ステップＳ２１４）。
【００９２】
以上説明した第２の実施形態に係る衛生洗浄装置１０によれば、ヒータ６３によって加熱された空気を、通風路６２の開口６４およびダンパ部材６５Ｂによって通風路６２からケーシング１４の内部に向けて、送風ユニット６０自体の風量低下を抑えつつ確実に分岐することができる。これにより、通風路６２から分岐された温風を用いてケーシング１４の内部の結露を防止することができる。
【００９３】
また、通風路６２を流れる空気を分岐するためのダンパ部材６５Ｂを駆動するアクチュエータが不要となり、アクチュエータが占有するスペースも不要となるため、部品点数の削減および省スペース化が可能となり、コスト低減および小型化を実現することができる。
【００９４】
また、ダンパ部材６５Ｂが外向きに開くことで、ダンパ部材６５Ｂが通風路６２の空気の流れを妨げるのを防止することができ、送風ユニット６０自体の風量低下を抑えることができる。
【００９５】
また、ダンパ部材６５Ｂが開口６４の上流側端縁部６４１を回動軸６６として開閉することで、ダンパ部材６５Ｂが開きやすくなり、ダンパ部材６５Ｂを開く向きに確実に駆動することができる。
【００９６】
また、通風路６２に空気の流れ方向を開口６４に向けるリブ６７を設けることで、ダンパ部材６５Ｂに空気を当てることができ、ダンパ部材６５Ｂを開く向きに確実に駆動することができる。
【００９７】
なお、上記した実施形態によれば、ダンパ部材６５（６５Ａ，６５Ｂ）が開閉する開口６４が通風路６２の上壁６２２に形成される構成としているが、たとえば、開口６４が通風路６２の側壁あるいは下壁に形成される構成としてもよい。
【００９８】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００９９】
１０    衛生洗浄装置
１４    ケーシング
６０    送風ユニット
６１    送風ファン
６２    通風路
６３    ヒータ
６４    開口
６４１    上流側端縁部
６４２    下流側端縁部
６５    ダンパ部材
６６    回動軸
６７    リブ
【図１】
2019173271.tif 000003
【図２】
2019173271.tif 000004
【図３】
2019173271.tif 000005
【図４】
2019173271.tif 000006
【図５】
2019173271.tif 000007
【図６】
2019173271.tif 000008
【図７】
2019173271.tif 000009
【図８】
2019173271.tif 000010
【図９】
2019173271.tif 000011
【図１０】
2019173271.tif 000012
【図１１】
2019173271.tif 000013